(57)【特許請求の範囲】
【請求項１】
上面に開口部を有する箱形のケースと、このケースに摺動可能に収納された摺動体と、この摺動体中間部に節度用コイルばねと共に収納され、この節度用コイルばねに付勢されて上記ケースの内側壁に設けられた節度山部に弾接する先端が円弧状の節度部材と、上記摺動体に装着された復帰用コイルばねと、上記摺動体の摺動によって電気的接離を行う接点部またはスイッチユニットからなり、上記復帰用コイルばねを上記節度部材と節度用コイルばねを収納した上記摺動体の外周に装着すると共に、この復帰用コイルばねの巻ピッチを上記節度部材の外径よりも小さくすることによって、上記ケースに摺動体を組込む際、上記節度用コイルばねによって付勢された上記節度部材を上記復帰用コイルばねの巻ピッチの間に弾接させて、上記節度部材と上記復帰用コイルばねを上記摺動体に仮保持したプッシュスイッチ。
【請求項２】
ケースの内側壁に、節度部材をケース開口部から節度山部まで摺動案内するガイド溝を設けた請求項１記載のプッシュスイッチ。
【発明の詳細な説明】
【０００１】
【発明の属する技術分野】
本発明は主として自動車の室内用機器等に使用されるプッシュスイッチに関するものである。
【０００２】
【従来の技術】
従来のプッシュスイッチについて、図４及び図５を用いて説明する。
【０００３】
図４は従来のプッシュスイッチの断面図、図５は同分解斜視図であり、同図において、１は上面及び側面開放の箱形のケース、２はケース１内に上下方向に摺動可能に収納された摺動体であり、ケース１の上面開口部１Ａからは摺動体２の操作部２Ａが上方へ突出し、摺動体２下面のばね挿入孔２Ｂとケース１のばね保持部１Ｂの間には復帰用コイルばね３がやや撓んだ状態で装着されている。
【０００４】
また、４は節度用コイルばね５と共に摺動体２の中間部の孔２Ｃに収納された球状の節度部材であり、節度用コイルばね５に付勢され、ケース１の内側壁に傾斜して設けられた節度山部１Ｃに弾接している。
【０００５】
そして、６はケース１の内底に保持された配線基板７と、この配線基板７上に装着された押圧用スイッチ８と、ワイヤー９によって配線基板７と接続されたコネクタ１０からなるスイッチユニットであり、摺動体２下端の押圧部２Ｄが押圧用スイッチ８の操作部に当接し、車両への取り付け部を外側壁に形成したカバー１１がケース１の側面開口部を覆っている。
【０００６】
この従来のプッシュスイッチの組立方法について説明すると、先ず押圧用スイッチ８やコネクタ１０が取付けられた配線基板７をケース１に装着した後、ケース１の側面開口部をカバー１１で覆い、次に、中間部の孔２Ｃに節度部材４と節度用コイルばね５を収納すると共に、下面のばね挿入孔２Ｂに復帰用コイルばね３を装着した摺動体２を、ケース１の上面開口部１Ａから挿入してケース１内に押し込むと、摺動体２の保持爪２Ｅがケース１に嵌め込まれ、摺動体２がケース１内に上下方向に摺動可能に収納される。
【０００７】
次に、この従来のプッシュスイッチの動作について説明すると、ケース１の上面開口部１Ａから突出した摺動体２の操作部２Ａを下方に押し込むと、摺動体２が復帰用コイルばね３を撓ませながらケース１内を下方に摺動し、摺動体２下端の押圧部２Ｄが押圧用スイッチ８を押圧することによって、押圧用スイッチ８が電気的接離を行い、この電気信号がワイヤー９を経由して、コネクタ１０が接続された自動車の室内用機器の回路に送信される。
【０００８】
この時、摺動体２の中間部の孔２Ｃに収納された節度部材４が、節度用コイルばね５に付勢されながら、ケース１の内側壁の節度山部１Ｃに弾接して乗り上げるため、摺動体２の節度を伴った操作が行われる。
【０００９】
そして、摺動体２の操作部２Ａへの押圧力を解除すると、復帰用コイルばね３の弾性復帰力によって摺動体２が上方へ押上げられ、下端の押圧部２Ｄも押圧用スイッチ８の操作部から離れるため、押圧用スイッチ８が電気的にＯＦＦとなり、元の状態に復帰するように構成されたものであった。
【００１０】
【発明が解決しようとする課題】
しかしながら上記従来の構成のプッシュスイッチにおいては、摺動体２をケース１へ組み込む際に、中間部の孔２Ｃに節度用コイルばね５に付勢された節度部材４を収納すると共に、下面のばね挿入孔２Ｂに復帰用コイルばね３を装着した不安定な状態の摺動体２をケース１の上面開口部１Ａから挿入するため、節度部材４や節度用コイルばね５或いは復帰用コイルばね３がわずかな振動でも摺動体２から外れ易く、これを防ぐため各部品にグリス等の高粘性潤滑材を塗布して摺動体２に仮保持する必要があり、スイッチの組立て作業が困難で時間を要するという課題があった。
【００１１】
本発明はこのような従来の課題を解決するもので、スイッチの組立て作業が容易で安価なプッシュスイッチを提供することを目的とするものである。
【００１２】
【課題を解決するための手段】
上記課題を解決するために本発明のプッシュスイッチは、節度部材の外径よりも小さな巻ピッチを有する復帰用コイルばねを摺動体の外周に装着し、摺動体中間部に収納され節度用コイルばねによって付勢された節度部材を、復帰用コイルばねの巻ピッチの間に弾接させて、節度部材と復帰用コイルばねを摺動体に仮保持するように構成したものである。
【００１３】
この本発明により、スイッチの組立て作業が容易で安価なプッシュスイッチを得ることができる。
【００１４】
【発明の実施の形態】
本発明の請求項１に記載の発明は、上面に開口部を有する箱形のケースと、このケースに摺動可能に収納された摺動体と、この摺動体中間部に節度用コイルばねと共に収納され、この節度用コイルばねに付勢されて上記ケースの内側壁に設けられた節度山部に弾接する先端が円弧状の節度部材と、上記摺動体に装着された復帰用コイルばねと、上記摺動体の摺動によって電気的接離を行う接点部またはスイッチユニットからなり、上記復帰用コイルばねを上記節度部材と節度用コイルばねを収納した上記摺動体の外周に装着すると共に、この復帰用コイルばねの巻ピッチを上記節度部材の外径よりも小さくすることによって、上記ケースに摺動体を組込む際、上記節度用コイルばねによって付勢された上記節度部材を上記復帰用コイルばねの巻ピッチの間に弾接させて、上記節度部材と上記復帰用コイルばねを上記摺動体に仮保持したプッシュスイッチとしたもので、復帰用コイルばねを節度部材と節度用コイルばねを収納した摺動体の外周に装着すると共に、この復帰用コイルばねの巻ピッチを節度部材の外径よりも小さくすることによって、ケースに摺動体を組み込む際、節度用コイルばねによって付勢された節度部材を復帰用コイルばねの巻ピッチの間に弾接させて、節度部材と復帰用コイルばねを摺動体に仮保持することができるため、多少の振動が加わっても摺動体から節度部材や復帰用コイルばねが外れにくくなり、スイッチの組立て作業が容易で安価なプッシュスイッチを得ることができるという作用を有する。
【００１５】
請求項２に記載の発明は、請求項１記載の発明において、ケースの内側壁に、節度部材をケース開口部から節度山部まで摺動案内するガイド溝を設けた構成としたもので、ケースに摺動体を組込む際、復帰用コイルばねが撓んで節度部材が復帰用コイルばねの保持から離れた後、節度用コイルばねによって付勢された節度部材が、ガイド溝に弾接摺動しながらケースの開口部から節度山部まで移動するため、節度部材を確実に節度山部に装着することができ、スイッチの組立て作業性がさらに向上するという作用を有する。
【００１６】
以下、本発明の一実施の形態について、図１〜図３を用いて説明する。
なお、従来の技術の項で説明した構成と同一構成の部分には同一符号を付し、その詳細な説明を省略する。
【００１７】
図１は同実施の形態によるプッシュスイッチの断面図、図２は同分解斜視図であり、同図において、ケース２１内に摺動体２２が上下方向に摺動可能に収納され、ケース２１の上面開口部２１Ａからは摺動体２２の操作部２２Ａが上方へ突出し、摺動体２２の中間部の孔２２Ｂに収納された節度部材４が節度用コイルばね５に付勢されて、ケース２１の内側壁に設けられた節度山部２１Ｂに弾接していることは従来の技術と同様である。
【００１８】
また、配線基板７と押圧用スイッチ８、ワイヤー９、コネクタ１０によってスイッチユニット６が構成され、摺動体２２下端の押圧部２２Ｃが押圧用スイッチ８の操作部に当接し、ケース２１の側面開口部をカバー１１が覆っていることも従来の技術と同様であるが、節度部材４の外径よりも小さな巻ピッチを有するように形成された復帰用コイルばね２３は摺動体２２の外周に嵌められ、ケース２１のばね保持部２１Ｃと摺動体２２のばね保持部２２Ｄの間にやや撓んだ状態で装着されている。
【００１９】
そして、ケース２１の開口部２１Ａから内側壁に設けられた節度山部２１Ｂまでの間には、ケース２１に摺動体２２を組込む際に、節度用コイルばね５に付勢された節度部材４を摺動案内する傾斜したガイド溝２１Ｄが設けられている。
【００２０】
この本発明のプッシュスイッチの組立方法について説明すると、図３に示すように、先ず摺動体２２の中間部の孔２２Ｂに節度部材４と節度用コイルばね５を収納し、次に節度部材４を摺動体２２の中間部の孔２２Ｂに押込みながら、復帰用コイルばね２３を摺動体２２の外周に装着すると、復帰用コイルばね２３の巻ピッチが節度部材４の外径よりも小さく形成されているため、節度用コイルばね５によって付勢された節度部材４が復帰用コイルばね２３の巻ピッチの間に弾接し、節度部材４と復帰用コイルばね２３が共に摺動体２２に仮保持される。
【００２１】
そして、この節度部材４と復帰用コイルばね２３を仮保持した摺動体２２を、あらかじめ押圧用スイッチ８やコネクタ１０が取付けられた配線基板７を装着し、側面開口部をカバー１１で覆ったケース２１の上面開口部２１Ａから挿入すると、復帰用コイルばね２３がケース２１のばね保持部２１Ｃと摺動体２２のばね保持部２２Ｄの間で撓められ、復帰用コイルばね２３から離れた節度部材４が摺動体２２の中間部の孔２２Ｂから突出し、ケース２１の開口部２１Ａから節度山部２１Ｂまでの間に設けられたガイド溝２１Ｄに当接した後、摺動体２２の下方への移動に伴ってこのガイド溝２１Ｄ上を弾接摺動し、節度山部２１Ｂの所定の位置に装着される。
【００２２】
次に、この本発明のプッシュスイッチの動作について説明すると、ケース２１の上面開口部２１Ａから突出した摺動体２２の操作部２２Ａを下方に押込むと、摺動体２２が復帰用コイルばね２３を撓ませながらケース２１内を下方に摺動し、摺動体２２下端の押圧部２２Ｃが押圧用スイッチ８を押圧することによって、押圧用スイッチ８が電気的接離を行うと共に、節度用コイルばね５に付勢された節度部材４が、ケース２１の節度山部２１Ｂ上を弾接摺動するため、摺動体２２の節度を伴った操作が行われ、操作部２２Ａの押圧力を解除すると、復帰用コイルばね２３の弾性復帰力によって摺動体２２が上方へ押上げられるため、押圧用スイッチ８が電気的にＯＦＦとなり、元の状態に復帰する。
【００２３】
このように本実施の形態によれば、復帰用コイルばね２３を節度部材４と節度用コイルばね５を収納した摺動体２２の外周に装着すると共に、この復帰用コイルばね２３の巻ピッチを節度部材４の外径よりも小さくすることによって、ケース２１に摺動体２２を組込む際、節度用コイルばね５によって付勢された節度部材４を復帰用コイルばね２３の巻ピッチの間に弾接させて、節度部材４と復帰用コイルばね２３を摺動体２２に仮保持することができるため、多少の振動が加わっても摺動体２２から節度部材４や復帰用コイルばね２３が外れにくくなり、スイッチの組立て作業が容易で安価なプッシュスイッチを得ることができる。
【００２４】
また、ケース２１の内側壁に、節度部材４をケース開口部２１Ａから節度山部２１Ｂまで摺動案内するガイド溝２１Ｄが設けられているため、ケース２１に摺動体２２を組込む際、復帰用コイルばね２３が撓んで節度部材４が復帰用コイルばね２３の保持から離れた後、節度用コイルばね５によって付勢された節度部材４を、ガイド溝２１Ｄ上を弾接摺動させながらケース２１の開口部２１Ａから節度山部２１Ｂまで移動させることによって、節度部材４を確実に節度山部２１Ｂに装着することができ、スイッチの組立て作業性をさらに向上させることができる。
【００２５】
なお、上記の説明では、節度部材４を球状のものとして説明したが、先端を円弧状とした円柱状、或いは先端を円弧状とした角柱状のものとすることによって、摺動体２２の中間部の孔２２Ｂへの節度部材４の保持をより確実なものとすることができる。
【００２６】
【発明の効果】
以上のように本発明によれば、スイッチの組立て作業が容易で安価なプッシュスイッチを得ることができるという有利な効果が得られる。
【図面の簡単な説明】
【図１】本発明の一実施の形態によるプッシュスイッチの断面図
【図２】同分解斜視図
【図３】同断面図
【図４】従来のプッシュスイッチの断面図
【図５】同分解斜視図
【符号の説明】
４  節度部材
５  節度用コイルばね
６  スイッチユニット
７  配線基板
８  押圧用スイッチ
９  ワイヤー
１０  コネクタ
１１  カバー
２１  ケース
２１Ａ  上面開口部
２１Ｂ  節度山部
２１Ｃ  ばね保持部
２１Ｄ  ガイド溝
２２  摺動体
２２Ａ  操作部
２２Ｂ  孔
２２Ｃ  押圧部
２２Ｄ  ばね保持部
２３  復帰用コイルばね
【図１】
0003879172.tif 000002
【図２】
0003879172.tif 000003
【図３】
0003879172.tif 000004
【図４】
0003879172.tif 000005
【図５】
0003879172.tif 000006